(57)【要約】  装飾的ＬＥＤディスプレイ装置及び／又は方法が、基部、頭部、及び茎部を含み得る。茎部は、第１の端部及び第２の端部を含み、第１の端部は頭部に接続され、第２の端部は基部に接続されてもよい。茎部の第１の端部が、ＬＥＤ光源を含んでもよく、茎部の第２の端部が、ＬＥＤ光源に電気的に接続されるＵＳＢコネクタ又は受信器インダクタを含んでもよい。一実施形態において、基部は、ＵＳＢコネクタに取外し可能に結合する基部コネクタを含んでもよい。基部は、ＵＳＢコネクタを通して電力を供給するように構成された電源をさらに含んでもよい。別の実施形態において、基部は、受信器インダクタに誘導的に結合する送信器インダクタを含んでもよい。送信器インダクタは、受信器インダクタと送信器インダクタとが誘導的に結合されたときに電力を供給するように構成されてもよい。
2018527732.tif 000002
【特許請求の範囲】
【請求項１】
基部と、
頭部と、
茎部と、を含み、
前記茎部は第１の端部及び第２の端部を含み、前記第１の端部は前記頭部に接続され、前記第２の端部は前記基部との取外し可能な接続に対して構成され、
前記第１の端部はＬＥＤ光源を含み、
前記第２の端部は、前記ＬＥＤ光源に電気的に接続されるＵＳＢコネクタを含み、
前記基部は、
前記ＵＳＢコネクタとの取外し可能な接続のための基部コネクタと、
前記ＵＳＢコネクタと前記基部コネクタとが取外し可能に接続されたときに前記ＵＳＢコネクタを通して電力を供給するように構成された電源と、
を含む、
ディスプレイ構造。
【請求項２】
前記茎部の前記第２の端部は電池を含み、前記電池は、前記ＵＳＢコネクタに電気的に接続され、前記基部の前記電源により充電されかつ前記ＬＥＤ光源に電力を供給するように構成される、請求項１に記載のディスプレイ構造。
【請求項３】
当該ディスプレイ構造は、前記ＬＥＤ光源と電気通信するコントローラを含み、前記コントローラは、前記ＬＥＤ光源を動作させる命令を受信するように構成される、請求項１に記載のディスプレイ構造。
【請求項４】
当該ディスプレイ構造は、前記コントローラが予めプログラムされた命令に従って前記ＬＥＤ光源を動作させることをトリガーするように構成されたスイッチをさらに含む、請求項３に記載のディスプレイ構造。
【請求項５】
前記予めプログラムされた命令は、オン、オフ、又はスロー点滅モードのうち少なくとも２つを含む、請求項４に記載のディスプレイ構造。
【請求項６】
前記スイッチは、近距離通信モードにおいて動作するように前記コントローラの近くに構成される、請求項４に記載のディスプレイ構造。
【請求項７】
前記頭部は、上部開口を画定する先細の上部部分に延びる湾曲した底部部分を含む湾曲した外面を含む、請求項１に記載のディスプレイ構造。
【請求項８】
前記頭部は前記ＬＥＤ光源のまわりに配設される、請求項７に記載のディスプレイ構造。
【請求項９】
当該ディスプレイ構造は、複数の茎部をさらに含み、前記基部は、対応する数の複数の基部コネクタをさらに含む、請求項１に記載のディスプレイ構造。
【請求項１０】
前記ＵＳＢコネクタは雌コネクタである、請求項１に記載のディスプレイ構造。
【請求項１１】
前記基部は、前記茎部の前記第２の端部を囲む側壁を含む、請求項１に記載のディスプレイ構造。
【請求項１２】
前記側壁は、前記基部の基部面から前記基部の上位端に延びる高さを有し、前記高さは、前記茎部の前記第２の端部の高さより大きい、請求項１１に記載のディスプレイ構造。
【請求項１３】
基部と、
頭部と、
茎部と、を含み、
前記茎部は第１の端部及び第２の端部を含み、前記第１の端部は前記頭部に接続され、前記第２の端部は前記基部との取外し可能な接続に対して構成され、
前記第１の端部はＬＥＤ光源を含み、
前記第２の端部は、前記ＬＥＤ光源に電気的に接続される受信器インダクタを含み、
前記基部は、前記受信器インダクタと誘導的に結合する送信器インダクタを含み、前記受信器インダクタと前記送信器インダクタとが誘導的に結合されたときに前記ＬＥＤ光源に電力を供給するように構成される、
ディスプレイ構造。
【請求項１４】
前記茎部の前記第２の端部は電池を含み、前記電池は、ＵＳＢコネクタに電気的に接続され、前記基部の電源により充電されかつ前記ＬＥＤ光源に電力を供給するように構成される、請求項１３に記載のディスプレイ構造。
【請求項１５】
当該ディスプレイ構造は、前記ＬＥＤ光源と電気通信するコントローラを含み、前記コントローラは、前記ＬＥＤ光源を動作させる命令を受信するように構成される、請求項１３に記載のディスプレイ構造。
【請求項１６】
当該ディスプレイ構造は、前記コントローラが予めプログラムされた命令に従って前記ＬＥＤ光源を動作させることをトリガーするように構成されたスイッチをさらに含む、請求項１５に記載のディスプレイ構造。
【請求項１７】
前記予めプログラムされた命令は、オン、オフ、又はスロー点滅モードのうち少なくとも２つを含む、請求項１６に記載のディスプレイ構造。
【請求項１８】
前記スイッチは、近距離通信モードにおいて動作するように前記コントローラの近くに構成される、請求項１６に記載のディスプレイ構造。
【請求項１９】
前記頭部は、上部開口を画定する先細の上部部分に延びる湾曲した底部部分を含む湾曲した外面を含み、前記頭部は、前記ＬＥＤ光源のまわりに配設される、請求項１３に記載のディスプレイ構造。
【請求項２０】
当該ディスプレイ構造は、複数の茎部をさらに含み、前記基部は、対応する数の複数の基部コネクタをさらに含む、請求項１３に記載のディスプレイ構造。
【請求項２１】
前記基部は、前記茎部の前記第２の端部を囲む側壁を含み、前記側壁は、前記基部の基部面から前記基部の上位端に延びる高さを有し、前記高さは、前記茎部の前記第２の端部の高さより大きい、請求項１３に記載のディスプレイ構造。
【発明の詳細な説明】
【技術分野】
【０００１】
本開示は、一般に、装飾的ＬＥＤディスプレイ装置及び方法に関する。
【背景技術】
【０００２】
家庭、オフィス、及び他の場所において、様々なディスプレイ装置が装飾目的で使用される。様々な既存の装飾的ディスプレイ装置には、照明装置、例えば、ネオンライトディスプレイなどが含まれることがある。様々な照明ディスプレイ装置が、照明のために白熱電球又はネオン電球を採用している。
【発明の概要】
【０００３】
本発明の様々な態様による装飾的ＬＥＤディスプレイ装置及び／又は方法は、基部と、頭部と、茎部とを含み得る。茎部は、第１の端部及び第２の端部を含み、第１の端部は頭部に接続され、第２の端部は基部に接続されてもよい。茎部の第１の端部はＬＥＤ光源を含んでもよく、茎部の第２の端部は、ＬＥＤ光源に電気的に接続されるＵＳＢコネクタを含んでもよい。基部は、ＵＳＢコネクタと取外し可能に結合する基部コネクタを含んでもよい。基部は、ＵＳＢコネクタと基部コネクタとが取外し可能に結合されたときにＬＥＤ光源に電力を供給するように構成された電源をさらに含んでもよい。
【０００４】
本発明の様々な態様による装飾的ＬＥＤディスプレイ装置及び／又は方法は、基部と、頭部と、茎部とを含み得る。茎部は、第１の端部及び第２の端部を含み、第１の端部は頭部に接続され、第２の端部は基部に接続されてもよい。茎部の第１の端部は、ＬＥＤ光源を含んでもよく、第２の端部は、ＬＥＤ光源に接続される受信器インダクタを含んでもよい。基部は、受信器インダクタと誘導的に結合する送信器インダクタを含んでもよい。送信器インダクタは、受信器インダクタと送信器インダクタとが誘導的に結合されたときにＬＥＤ光源に電力を供給するように構成されてもよい。
【図面の簡単な説明】
【０００５】
【図１】装飾的ＬＥＤディスプレイ装置の一実施形態の概略図である。
【図２】図１に示される装飾的ＬＥＤディスプレイ装置の茎部の第１の端部の一実施形態の分解組立図である。
【図３】図１に示される装飾的ＬＥＤディスプレイ装置のＬＥＤ光源の一実施形態の概略図である。
【図４】図１に示される装飾的ＬＥＤディスプレイ装置の頭部と茎部の第１の端部との一実施形態の部分図である。
【図５Ａ】図１に示される装飾的ＬＥＤディスプレイ装置の茎部の第２の端部の一実施形態の分解組立図である。
【図５Ｂ】図１に示される装飾的ＬＥＤディスプレイ装置の茎部の第２の端部の部分図である。
【図６】図１に示される装飾的ＬＥＤディスプレイ装置の基部の一実施形態の部分的な分解組立図である。
【図７】上方に延びた側壁を有する基部を備えた装飾的ＬＥＤディスプレイ装置の一実施形態の概略図である。
【図８Ａ】図７に示される基部の部分的な正面図である。
【図８Ｂ】図７に示される基部の部分的な底部正面図である。
【図８Ｃ】図７に示される基部の部分的な上部正面図である。
【図９】図７及び図８Ａ〜Ｃに示される基部の部分的な分解組立図である。
【図１０】誘導結合に対して構成された茎部の端部を備えた装飾的ＬＥＤディスプレイ装置の一実施形態の概略図である。
【図１１Ａ】誘導結合に対して構成された装飾的ＬＥＤディスプレイ装置の基部の一実施形態の部分的な上部正面図である。
【図１１Ｂ】図１１Ａに示される基部の部分的な底部正面図である。
【図１１Ｃ】図１１Ａに示される基部の部分的な分解組立図である。
【発明を実施するための形態】
【０００６】
次に、例示的な実施形態が、添付図面を参照して以降で説明される。添付図面は、本説明の一部を形成し、実施され得る例示的な実施形態を説明する。本開示及び別記の請求項において用いられるとき、用語「実施形態」、「例示的な実施形態」、及び「代表的な実施形態」は、必ずしも単一の実施形態を参照しないが、そうであってもよい。様々な例示的な実施形態が、例示的な実施形態の範囲及び主旨から逸脱することなく容易に組み合わせられ、置き換えられることがある。さらに、本明細書において用いられる用語は、単に例示的な実施形態を説明する目的のものであり、限定であるようには意図されない。この点において、本明細書において用いられるとき、用語「〜の中に」は、「〜の中に」及び「〜の上に」を含むことがあり、用語「一の（a、an）」及び「その（the）」は、単数及び複数の参照を含むことがある。さらに、本明細書において用いられるとき、用語「〜により」は、文脈に依存して、「〜から」をさらに意味することがある。さらに、本明細書において用いられるとき、用語「〜の場合」は、文脈に依存して、「〜のとき」又は「〜すると」をさらに意味することがある。さらに、本明細書において用いられるとき、単語「及び／又は」は、関連するリストアップされた項目のうち１つ以上についての任意及びすべての可能な組み合わせを参照し、包含することがある。本明細書に開示される実施形態は、その趣旨又は必須の特性から逸脱することなく他の特定の形式で具現化できることが当業者により十分理解されるであろう。したがって、本開示の実施形態は、すべての点において限定的でなく例示的であるとみなされる。
【０００７】
図１〜図５Ｂは、装飾的なＬＥＤディスプレイ装置１００の一例示的な実施形態を表す。例示されるように、装飾的ＬＥＤディスプレイ装置１００は、基部１０５と、１つ以上の茎部（stems）１１０と、１つ以上の頭部１１５とを含む。一実施形態において、ディスプレイ１００は、基部１０５を含まなくてもよい。一実施形態において、ディスプレイ１００は、１つ、２つ、３つ、又は任意数の茎部１１０と、対応する数の頭部１１５とを含んでもよい。別の実施形態において、茎部１１０のうちいくつか又はすべてが、複数の頭部１１５を含んでもよい。図１〜図５Ｃに例示される実施形態において、茎部１１０は、第１の端部２００及び第２の端部３００を含み得る。茎部１１０の第１の端部２００が頭部１１５に接続してもよく、第２の端部３００が基部３００に接続してもよい。
【０００８】
一実施形態において、茎部１１０の第１の端部２００は、１つ以上の頭部１１５に取外し可能に接続できることが十分理解され得る。別の実施形態において、茎部１１０の第２の端部２００は、基部３００に取外し可能に接続してもよい。さらに、一実施形態において、茎部１１０の第１の端部２００は、１つ以上の頭部１１５に永続的に接続してもよい。別の一実施形態において、茎部１１０の第２の端部２００は、基部３００に永続的に接続してもよい。
【０００９】
一実施形態において、頭部１１５及び／又は茎部１１０及び／又は基部１０５は、所望される任意の形状のものであってもよいことが十分理解され得る。複数の頭部１１５を含む一実施形態において、複数の頭部１１５のすべてが、１つの形状又は異なる形状であってもよい。同様に、複数の茎部１１０及び／又は複数の基部１０５を含む一実施形態において、複数の茎部１１０又は複数の基部１０５のすべてが、１つの形状又は異なる形状であってもよい。
【００１０】
一実施形態において、頭部１１５及び／又は茎部１１０及び／又は基部１０５は、所望される任意の材料で作成されてもよいことがさらに十分理解され得る。一実施形態において、頭部１１５は、半透明であってもよい。一実施形態において、頭部１１５、茎部１１０の一部部分、又は茎部１１０の部分全体が、半透明であってもよい。同様に、一実施形態において、頭部１１５、基部１０５の一部部分、又は基部１０５の部分全体が、半透明であってもよい。さらに、一実施形態において、ディスプレイ装置１００全体が半透明であってもよい。
【００１１】
一実施形態において、茎部１１０の第１の端部２００は、ＬＥＤ光源２２０と、ＬＥＤ光源２２０を支持するためのＬＥＤマウント２０５とを含む。他の実施形態が、ＬＥＤライトフレーム２０５により支持される複数のＬＥＤ光源２２０を採用してもよいことが十分理解され得る。しかしながら、一のＬＥＤ光源２２０又は複数のＬＥＤ光源２２０を支持するために、様々な支持構造が使用されてもよいことが十分理解され得る。一実施形態において、頭部１１５及び／又は基部１０５及び／又は茎部１１０が、１つ以上のＬＥＤ光源２２０（図示されていない）を含んでもよいことが十分理解され得る。１つ以上のＬＥＤ光源２２０は、単一色の光又は様々な色の光を表示してもよいことが十分理解され得る。
【００１２】
図２に示される実施形態では、ＬＥＤマウント２０５は、フレーム２１０上に又はフレーム２１０内に取り付けできる。ＬＥＤマウント２０５を支持するために様々な支持構造が使用されてもよいことが十分理解され得る。ＬＥＤ光源２２０は、茎部１１０の異なる場所に位置づけられてもよいことが十分理解され得る。
【００１３】
さらに図２に示されるように、拡散器２１５が、少なくとも部分的にＬＥＤ光源２２０にわたりフレーム２１０に結合されて、ＬＥＤ光源２２０からの光を分散してもよい。一実施形態において、拡散器２１５はドーム形状を有する。しかし、他の形状が採用されてもよい。拡散器２１５は種々の材料から形成されてもよく、これに限られないがポリプロピレンが含まれる。拡散器２１５はまた、様々な半透明度合いを有してもよい。拡散器２１５に代わって任意の光分散機構が採用されてもよいことが十分理解され得る。一実施形態において、茎部１１０は、種々の光分散機構を採用して、種々の茎部１１０から発散する光の種々の視覚的効果を可能にしてもよい。
【００１４】
図２に示される実施形態において、ＬＥＤ光源２２０は、１つ以上の表面実装型デバイス（surface-mounted-device）ＬＥＤ２２５を含んでもよいことが十分理解され得る。図３に示されるように、一実施形態において、ＬＥＤ光源２２０は、印刷回路板（ＰＣＢ）２３０の２側面に実装される複数の表面実装型デバイスＬＥＤ２２５を含んでもよい。こうした実施形態における光は、異なる方向に向けられ得る。１つ以上の表面実装型デバイスＬＥＤ２２５が、様々な方法でＰＣＢ２３０上に配置されて他の視覚的効果を達成してもよいことが十分理解され得る。
【００１５】
１つ以上の実施形態において、他のタイプのＬＥＤ光源２２０が採用されてもよいことが十分理解され得る。さらに、他の実施形態において、複数のＬＥＤ光源２２０が異なるＬＥＤ光源２２０を含んでもよい。１つ以上のＬＥＤ光源の実施形態において、光は１つ以上の方向に向けられ得ることが十分理解され得る。さらに、ＬＥＤ光源２２０は、様々な方法で配置されてもよいことが容易に十分理解され得る。
【００１６】
図２に示されるように、ＬＥＤマウント２０５は光通路２３５をさらに含んでもよく、ゆえに、光はＬＥＤマウント２０５を通過して茎部１１０に渡り得る。いくつかの実施形態において、茎部１１０は、ＰＶＣソフトチューブなどの半透明の材料から作成されてもよく、そのため、茎部１１０は、光通路２３５を介して茎部１１０を通って進む光によりライトアップされることになる。ＰＶＣソフトチューブを用いて製造されたとき、茎部１１０は屈曲可能であり得る。茎部１１０を作成し、この効果を生み出すために、様々な他の材料が利用されてもよい。半透明の効果又は屈曲可能の効果が所望されない場合、さらに他の材料が使用されてもよい。十分理解され得るように、茎部１１０は、屈曲可能であってもよく、そうでなくてもよい。同様に、茎部１１０は、半透明であってもよく、そうでなくてもよい。
【００１７】
図４に示されるように、頭部１１５はフレーム２１０に結合されてもよい。さらに、図２及び図４に示されるように、キャップ２４０が使用されて、頭部１１５を茎部１１０に固定してもよい。十分理解され得るように、様々な他の結合機構が使用されて、頭部１１５を茎部１１０に固定してもよい。１つ以上の茎部１１０は、様々なサイズ、色、及び形状を有するように構成されてもよいことが十分理解され得る。
【００１８】
１つ以上の頭部１１５が、これに限られないがプラスチックを含む様々な材料から製造されてもよいことが十分理解され得る。１つ以上の頭部１１５は、様々な輪郭、サイズ、色、及び形状を有するように構成されてもよい。一実施形態において、頭部１１５は、湾曲した外面を好ましくは含み、これにより、花の形状の外観を可能にしてもよい。湾曲した外面は、上部開口１１８を画定する先細の上部部分１１７に延びる湾曲した底部部分１１６を含んでもよい。花の形状は、特定の形状に限定されなくてもよく、これに限られないが花の形状を含む所望される任意の形状を含んでもよいことが十分理解され得る。１つ以上の頭部１１５は、すべてが同じ花の形状を有してもよい。一実施形態において、１つ以上の頭部は、各々が異なる花の形状を有してもよい。
【００１９】
図５Ａ及び図５Ｂは、それぞれ、茎部１１０の第２の端部３００の一実施形態の分解組立図と組立図とを示す。図５Ａ〜図５Ｂに示されるように、茎部１１０は、支持ロッド５０５を含んでもよい。支持ロッド５０５は、茎部１１０の第１の端部２００から第２の端部３００に延び得る。このロッド５０５は、銅、鉄、又は、構造的支持に貢献し、かつ／あるいはＬＥＤ光源２２０を第２の端部３００に位置する電気コンポーネントに電気的に接続するように構成された様々な他の材料を含んでもよい。図５に示されるように、ロッド５０５は、フック設計５４５で底部カバー５２０に接続されてもよい。十分理解され得るように、ロッド５０５は、様々な接続機構によって様々な場所で第２の端部に接続されてもよい。
【００２０】
図５Ａ〜図５Ｂに示されるように、第２の端部３００はハウジング５１０を含んでもよい。ハウジング５１０は、上部カバー５１５、底部カバー５２０、上部キャップ５２５、及び底部キャップ５３０を含んでもよい。しかしながら、図５に示される実施形態におけるハウジング５１０は、こうした構造に限定されなくてもよいことが十分理解されるべきである。図５Ａ及び図５Ｂに示されるハウジング５１０は、容易な、ねじ不要の組み立て及び分解を可能にし得る。この実施形態において、上部キャップ５２５及び底部キャップ５３０は、ハウジング５１０を適所に（in  place）固定する。しかし、他の実施形態において、ハウジング５１０は、様々な異なる方法で形成されてもよいことが十分理解され得る。
【００２１】
一実施形態において、ハウジング５１０は、ＬＥＤ光源２２０に電気的に接続される任意的なポータブル電源、例えば電池５３５などを含んでもよい。一実施形態において、電池５３５は、リチウムイオンポリマー電池などの再充電可能電池を含んでもよい。しかし、異なるタイプの電池が使用されてもよいことが十分理解され得る。あるいは、他の実施形態において、電池が全く存在しなくてもよい。例えば、一実施形態において、装置１００は、電源（図示されていない）に直接接続されてもよい。別の実施形態において、装置１００は、ソーラーで電力供給され（solar  powered）てもよい。装置１００のさらに他の実施形態において、様々な電源が採用されてもよい。
【００２２】
図５Ａに示される任意的な電池５３５は、ＵＳＢコネクタ５４０を介した接続により充電されてもよい。このことは、ユーザが電池５３５を任意のＵＳＢコネクタ、ＵＳＢ充電器、又は任意の電力ステーションに接続することによって電池５３５に電力供給することを可能にし得る。このことは、装置１００が基部１０５の有無にかかわらず様々な設定で動作することを可能にし得る。ＵＳＢコネクタ５４０は、図５Ａ及び図５Ｂにおいて雄コネクタであるように示されているが、ＵＳＢコネクタ５４０は、他の実施形態において雌コネクタとして構成されてもよいことが十分理解されるべきである。同様に、他の実施形態において、異なるタイプのコネクタ又は機構が採用されて電池５３５を充電してもよい。図５Ａに示されるように、電池５３５は、印刷回路板ＰＣＢ５５０に電気的に接続されてもよい。しかしながら、一実施形態において、ハウジング５１０がＰＣＢ５５０を含まなくてもよいことが十分理解されるべきである。
【００２３】
さらに、図１及び図５Ｂに示されるように、第２の端部３００はスイッチ１２５を含んでもよい。スイッチ１２５は、異なるＬＥＤ光表示選択肢をユーザに与える複数の設定を含んでもよい。一実施形態において、スイッチ１２５は、２つの設定：オン及びオフのみ有してもよい。一実施形態において、ＬＥＤ光源２２０は、スイッチ１２５がオンに設定されたときに一定の光を生ずるように設計されてもよい。別の実施形態において、ＬＥＤ光源２２０は、スイッチ１２５がオンに設定されたときにスロー点滅光を生ずるように設計されてもよい。容易に十分理解され得るように、ＬＥＤ光源２２０は、スイッチ１２５がオンに設定されたときに多様な異なる方法で光を表示するように設計できる。
【００２４】
１つ以上の実施形態において、スイッチ１２５は、異なる光表示選択肢に対応する３つ以上の設定を有してもよいことが十分理解されるべきである。１つのこうした実施形態において、スイッチ１２５は、オンポジション、スロー点滅ポジション、及びオフポジションを含む３つの設定を有してもよい。いくつかの実施形態が、１つ以上の自動タイマをさらに含んで、１５分、３０分、６０分等の所定の時間の後に装飾的ＬＥＤディスプレイ装置をオフにしてもよい。いくつかの実施形態において、ユーザは、自身の必要に従って１つ以上の自動タイマを調整してもよい。スイッチ１２５は、装飾的ＬＥＤディスプレイ装置１００の任意のポジションに位置してよい。例えば、スイッチ１２５は、頭部１１５、及び／又は茎部１１０の第１の端部２００、及び／又は茎部１１０の第２の端部３００、及び／又は基部１０５に位置してもよい。
【００２５】
一実施形態において、図１に示されるように、装飾的ＬＥＤディスプレイ装置１００は、直接的又は間接的のいずれかでＬＥＤ光源２２０と電気通信するコントローラ１９０を含んでもよい。一実施形態において、コントローラ１９０は、スイッチ１２５によりトリガーされてＬＥＤ光源２２０を動作させてもよい。一実施形態において、コントローラ１９０は、リモート装置１９５から近距離通信（ＮＦＣ）を介して命令を受信してもよく、リモート装置１９５は、スマートフォン若しくはタブレット又はこうした機能の能力がある任意の電子装置などである。コントローラ１９０は、リモート装置１９５から受信した命令に基づいてＬＥＤ光源２２０の動作を指令してもよい。いくつかの実施形態が、ユーザがＮＦＣモード及び非ＮＦＣモード間で選択することを可能にするスイッチ１２５上の近距離通信ポジション作動器（near  field  communication  position  actuator）（図示されていない）をさらに含んでもよい。このように、装飾的ＬＥＤディスプレイ装置１００は、ＮＦＣモードが作動したとき、スマートフォン、タブレット、又は他の装置により制御されてもよい。さらに、いくつかの実施形態において、複数の装飾的ＬＥＤディスプレイ装置１００間の光パターンが、スマートフォン、タブレット、又は他の装置を用いて協調されてもよい。
【００２６】
一実施形態において、１つ以上の装飾的ＬＥＤディスプレイ装置１００におけるＬＥＤ光源２２０の照明は、調和して、様々なパターン及び／又はシーケンスで、オン又はオフにされてもよい。装飾的ＬＥＤディスプレイ装置１００のこうした動作は、コントローラ１９０によって又はスイッチ１２５の機械的調整によってもたらされてもよい。コントローラ１９０は、特定のシーケンス又はタイミングでＬＥＤ光源２２０を照明する（illuminating）命令を記憶するように予めプログラムされてもよい。一実施形態において、予めプログラムされた命令は、オン、オフ、又はスロー点滅モードのうち少なくとも２つを含む。一実施形態において、コントローラ１９０の命令は、ＮＦＣ装置１９５からリアルタイムで提供されてもよい。コントローラ１９０は、装飾的ＬＥＤディスプレイ装置１００の任意のポジションに物理的に位置してよいことが十分理解されるべきである。図１に示されるように、コントローラ１９０は、基部１０５に位置してもよい。しかしながら、コントローラ１９０はまた、頭部１１５、及び／又は茎部１１０の第１の端部２００、及び／又は茎部１１０の第２の端部３００に位置してもよい。
【００２７】
図６に、装飾的ＬＥＤディスプレイ装置１００の基部１０５の一実施形態が示される。この実施形態において、基部は、１つ以上の基部コネクタ８０５を含んで、茎部１１０の第２の端部３００からのＵＳＢコネクタ５４０を受ける。この実施形態において、基部は、３つの基部コネクタ８０５を有して、３つの茎部１１０の各々からのＵＳＢコネクタ５４０を受ける。十分理解され得るように、基部１０５は、所望される他の数の基部コネクタ８０５を含んでもよい。また、基部１０５は、装飾的ＬＥＤディスプレイ装置１００において使用されるタイプの１つ又は複数のコネクタに対応するように他のタイプのコネクタ（図示されていない）を含んでもよい。
【００２８】
基部１０５は、任意的な電源８１０を有してもよい。図６に示されるように、この電源８１０は、ＡＡ電池又は他のタイプの電池の形式をとることができる。しかしながら、他の実施形態において、様々な電源が採用されてもよく、例えば、ソーラーパワー、又は、ＡＣ若しくはＤＣ電流を提供するように構成された電気コンセントに対する直接接続などである。電池扉８１５が、電池を適所に固定するためにさらに使用されてもよい。任意的な電源８１０は、ＵＳＢコネクタ５４０と基部コネクタ８０５とが互いに取外し可能に結合されたときに電力を供給してＬＥＤディスプレイ装置１００をライトアップしてもよいことが十分理解されるべきである。
【００２９】
基部１０５は、様々なサイズ、色、及び形状を有するように構成されてもよいことが十分理解され得る。図７〜図９は、装飾的ＬＥＤディスプレイ装置１００の一実施形態を示し、基部１０５は、花瓶状の基部１０５であり得る。花瓶状の基部１０５は、複数の茎部１１０の第２の端部３００を囲む側壁１４０を含んでもよい。側壁１４０は、基部１０５の基部面１５０から基部１０５の上位端１５５に延びる高さを有し得る。側壁１４０は、茎部１１０がそこを通って延びるよう、上位開口を画定するように構成されてもよい。側壁１１４０の高さは、少なくとも、複数の茎部１１０の第２の端部の高さより大きいように構成され、これにより、茎部１１０の第２の端部３００と基部１０５との間の電気的接続の正面視（elevational  view）を部分的に遮断してもよい。
【００３０】
一実施形態において、側壁１１４０の高さは、複数の茎部１１０の第２の端部の高さより大きいように構成され、これにより、茎部１１０の第２の端部３００と基部１０５との間の電気的接続の正面視を完全に遮断してもよい。花瓶状の基部１０５は、図７〜図９に示されるようにタンブラーの形状を取ってもよい。他の実施形態において、花瓶状の基部１０５は、ユーザにより所望される任意の形状のものであってもよい。花瓶状の基部１０５は、電源８１０を含んでもよい。電源８１０は、ＡＡ電池、ソーラーパワー等の様々な電源から選択されてもよい。扉８１５が基部面１５０上に提供されて、電源８１０を適所に固定してもよい。
【００３１】
図１０〜図１１Ｃは、装飾的ＬＥＤディスプレイ装置１００の一実施形態を示し、装置１００は、誘導電力供給に対して構成される。図１０に示されるように、茎部１１０の第２の端部３００は、受信器インダクタハウジング４１０を含んでもよく、受信器インダクタハウジング４１０は、電池５３５及びＵＳＢコネクタ５４０に代わって受信器インダクタ４１４を含み得る。受信器インダクタ４１４は、基部１０５の送信器インダクタ４１５と誘導的に結合するように構成される。一実施形態において、第２の端部３００は、基部１０５内の十分な深さを有する窪んだ部分４２０内に又は該窪んだ部分４２０に近接して配設されて、送信器インダクタ４２５と受信器インダクタ４１４との効果的な誘導結合を可能にしてもよい。一実施形態において、窪んだ部分４２０の深さは、第２の端部３００とのスナグルフィット（snuggle  fit）を提供し、それが茎部１１０の構造的支持をさらに提供するように構成されてもよい。
【００３２】
一実施形態において、送信器インダクタ４２５は、駆動されて磁界を生成することができ、上記磁界は、受信器インダクタ４１４における電圧を誘導して、直接的にＬＥＤ光源２２０に電力供給することになる。別の実施形態において、送信器インダクタ４２５は、駆動されて磁界を生成することができ、上記磁界は、受信器インダクタ４１４における電圧を誘導して、茎部１１０に接続された電池５３５に電力供給することになり、電池５３５は、次いで、ＬＥＤ光源２２０に電力を供給することになる。送信器インダクタ４２５と受信器インダクタ４１４とが互いに誘導的かつ取外し可能に結合されたとき、ＬＥＤ光源２２０に電力が提供されてＬＥＤディスプレイ装置１００をライトアップすることが十分理解されるべきである。
【００３３】
基部１０５は、図１０〜図１１Ｃに示されるような平らな基部であってもよく、あるいは図７〜図９に示されるような花瓶状の基部であってもよい。基部１０５は、１つ以上の設定を有するスイッチをさらに含んでもよい。１つ以上の設定は、オンポジション、オフポジション、及び／又は、スロー点滅動作モードなどの装飾的ＬＥＤディスプレイ装置の所望の制御を提示する他のポジションであってもよい。装飾的ＬＥＤディスプレイ装置の一配置において、ディスプレイ装置１００のうち１つ以上が、これらに限られないが電池、ソーラー電源、直接電源、及び／又は誘導電源を含む様々な電源により電力供給されてもよいことが十分理解され得る。
【００３４】
開示された原理に従う様々な実施形態が上記で説明されたが、これらは限定的でなく単に例として提示されたことが理解されるべきである。ゆえに、本明細書に説明された例示的な実施形態の幅及び範囲は、上記で説明された代表的な実施形態のいずれにも限定されるべきでなく、本開示から生じるクレーム及びその均等物に従ってのみ定義されるべきである。さらに、上記の利点及び特徴は、説明された実施形態において提供されるが、こうした生じたクレームの適用を上記の利点のうちいずれか又はすべてを達成する処理及び構造に限定しないものとする。
【００３５】
比較、測定、及びタイミングの単語、例えば「その時間に」、「同等の」、「〜の間」、「完了する」などは、「実質的にその時間に」、「実質的に同等の」、「実質的に〜の間」、「実質的に完了する」等を意味するように理解されるべきであり、「実質的に」は、こうした比較、測定、及びタイミングが、暗黙的又は明示的に述べられた所望の結果を達成するように実施可能であることを意味する。要素の相対的位置に関する単語、例えば「〜のまわりに」、「〜の近くに」、「〜に近接して」、及び「〜に隣接して」などは、それぞれのシステム要素の相互作用に対して重要な効果を有するほど十分に近いことを意味するものとする。
【００３６】
さらに、本明細書におけるセクション見出しは、米国特許法施行規則第１．７７条（37  C.F.R.  1.77）との整合性のために、あるいはその他の方法で構造的な合図を提供するために提供される。これらの見出しは、本開示から生じ得るいかなるクレームにおいても提示された発明を限定又は特徴づけしないものとする。具体的に、例として、見出しが「技術分野」を参照するが、こうしたクレームは、いわゆる技術分野を説明するようにこの見出しの下で選ばれた言語により限定されるべきでない。さらに、「背景技術」内の技術の説明は、技術が本開示内のいかなる発明に対しても従来技術であるという自認とみなされるべきでない。「発明の概要」も、生じたクレーム内に定められた発明の特徴づけとみなされるべきでない。さらに、本開示における単数形での「発明」に対するいかなる参照も、本開示に新規性が一点だけあることを主張するために用いられるべきでない。複数の発明が、本開示から生じる複数のクレームの限定に従って定められることがあり、こうしたクレームは、したがって、これにより保護される発明及びその均等物を定義する。すべての例において、こうしたクレームの範囲は、本開示を踏まえてその独自の長所に基づいて考慮されるものとし、本明細書における見出しにより制約されるべきでない。
【図１】
2018527732.tif 000003
【図２】
2018527732.tif 000004
【図３】
2018527732.tif 000005
【図４】
2018527732.tif 000006
【図５Ａ】
2018527732.tif 000007
【図５Ｂ】
2018527732.tif 000008
【図６】
2018527732.tif 000009
【図７】
2018527732.tif 000010
【図８Ａ】
2018527732.tif 000011
【図８Ｂ】
2018527732.tif 000012
【図８Ｃ】
2018527732.tif 000013
【図９】
2018527732.tif 000014
【図１０】
2018527732.tif 000015
【図１１Ａ】
2018527732.tif 000016
【図１１Ｂ】
2018527732.tif 000017
【図１１Ｃ】
2018527732.tif 000018
【国際調査報告】
2018527732.tif 000019
2018527732.tif 000020